(57)【要約】【課題】本発明は、圧着の前後において、電線の延びる方向について長さ寸法が大きくなることが抑制された端子金具及び端子金具付き電線を提供する。【解決手段】雌端子金具１２は、金属板材からなると共に芯線１０に巻き付くようにして圧着されるワイヤーバレル１７と、ワイヤーバレル１７から延びて雄端子金具と接続する接続部１８と、を備え、ワイヤーバレル１７は芯線１０と接触する接触面２２を有し、ワイヤーバレル１７には接触面２２と反対側から曲げ加工することにより接触面２２側に突出する突部２３が形成されており、突部２３は、ワイヤーバレル１７が芯線１０に圧着される前の状態において、圧着された電線１１の延びる第１方向と交差する第２方向に沿って延びて形成されている。【選択図】図２
2010055936.tif 000002
【特許請求の範囲】
【請求項１】
金属板材からなると共に電線に巻き付くようにして圧着される圧着部と、前記圧着部から延びて相手側端子金具と接続する接続部と、を備え、
前記圧着部は前記電線と接触する接触面を有し、前記圧着部には前記接触面と反対側から曲げ加工することにより前記接触面側に突出する突部が形成されており、前記突部は、前記圧着部が前記電線に圧着される前の状態において、圧着された前記電線の延びる第１方向と交差する第２方向に沿って延びて形成されている端子金具。
【請求項２】
前記圧着部には、複数の前記突部が、前記第１方向に間隔を空けて並んで形成されている請求項１に記載の端子金具。
【請求項３】
芯線を含む電線と、前記電線の端部から露出する前記芯線に圧着される端子金具と、を備え、
前記端子金具は、金属板材からなると共に前記芯線に巻き付くようにして圧着される圧着部と、前記圧着部から延びて相手側端子金具と接続する接続部と、を備え、
前記圧着部は前記芯線と接触する接触面を有し、前記圧着部には前記接触面と反対側から曲げ加工することにより前記接触面側に突出する突部が形成されており、前記突部は、前記圧着部が前記芯線に圧着される前の状態において、圧着された前記電線の延びる第１方向と交差する第２方向に沿って延びて形成されている端子金具付き電線。
【請求項４】
前記圧着部には、複数の前記突部が、前記第１方向に間隔を空けて並んで形成されている請求項４に記載の端子金具付き電線。
【請求項５】
前記芯線はアルミニウム又はアルミニウム合金からなる請求項３または請求項４に記載の端子金具付き電線。
【発明の詳細な説明】
【技術分野】
【０００１】
本発明は、端子金具及び端子金具付き電線に関する。
【背景技術】
【０００２】
従来より、電線の端部に圧着される端子金具としては特許文献１に記載のものが知られている。この端子金具は、電線の端部から露出する芯線に圧着される圧着部と、この圧着部から延びて相手側端子金具と接続する接続部と、を備える。
【０００３】
上記の芯線の表面に酸化膜が形成されると、電線と端子金具との電気抵抗が増大することが懸念される。そこで、従来技術においては、圧着部のうち芯線と接触する面には、複数の凹部がプレス加工により形成されている。この凹部は、芯線に圧着部が圧着される前の状態において、圧着された電線の延びる方向と交差する方向に延びて形成されている。
【０００４】
芯線に圧着部が圧着されると、芯線は圧着部から圧力を受けて塑性変形して、凹部内に入り込む。すると、凹部の孔縁と芯線の表面とが摺接して、芯線の表面に形成された酸化膜が剥がれて芯線の新生面が露出する。この新生面と、圧着部とが接触することにより電線と端子金具との電気抵抗を低減させることができる。
【特許文献１】特開平１０−１２５３６２号公報
【発明の開示】
【発明が解決しようとする課題】
【０００５】
しかしながら上記の技術によると、圧着部が塑性変形することにより、圧着の前後において端子金具の寸法が変化するという問題が生じる。上述したように、芯線は圧着部から圧力を受ける。すると、その反作用により、圧着部は芯線から圧力を受ける。このため、圧着部自身も塑性変形してしまうのである。特に、電線の延びる方向についての端子金具の長さ寸法が大きく変化することが懸念される。これは以下の理由による。
【０００６】
圧着部を芯線に圧着する工程は、圧着部に芯線を載置した後、一対の金型によって上下方向から圧着部を挟むことにより実行される。すると、圧着部に形成された凹部はプレス加工により形成されるため、比較的に肉厚が薄くなっている。このため凹部には応力が集中しやすくなっている。この結果、凹部は塑性変形しやすくなっている。この凹部は、電線の延びる方向と交差する方向に延びて形成されているので、圧着部は、電線の延びる方向に延びて変形し、その結果、電線の延びる方向についての端子金具の長さ寸法が大きく変化してしまうのである。
【０００７】
端子金具の長さ寸法が変化すると、端子金具をコネクタハウジング内に収容する際に、端子金具がコネクタハウジングからはみ出してしまう等の問題が懸念される。
【０００８】
本発明は上記のような事情に基づいて完成されたものであって、圧着の前後において、電線の延びる方向について長さ寸法が大きくなることが抑制された端子金具及び端子金具付き電線を提供することを目的とする。
【課題を解決するための手段】
【０００９】
本発明は、端子金具であって、金属板材からなると共に電線に巻き付くようにして圧着される圧着部と、前記圧着部から延びて相手側端子金具と接続する接続部と、を備え、前記圧着部は前記電線と接触する接触面を有し、前記圧着部には前記接触面と反対側から曲げ加工することにより前記接触面側に突出する突部が形成されており、前記突部は、前記圧着部が前記電線に圧着される前の状態において、圧着された前記電線の延びる第１方向と交差する第２方向に沿って延びて形成されている。
【００１０】
また、本発明は、端子金具付き電線であって、芯線を含む電線と、前記電線の端部から露出する前記芯線に圧着される端子金具と、を備え、前記端子金具は、金属板材からなると共に前記芯線に巻き付くようにして圧着される圧着部と、前記圧着部から延びて相手側端子金具と接続する接続部と、を備え、前記圧着部は前記芯線と接触する接触面を有し、前記圧着部には前記接触面と反対側から曲げ加工することにより前記接触面側に突出する突部が形成されており、前記突部は、前記圧着部が前記芯線に圧着される前の状態において、圧着された前記電線の延びる第１方向と交差する第２方向に沿って延びて形成されている。
【００１１】
本発明によれば、電線に圧着部が圧着されると、圧着部に形成された突部が、電線（芯線）の表面に食い込む。すると、電線の表面に形成された酸化膜が剥がれて、電線の新生面が露出する。この新生面と圧着部とが接触することにより、電線と端子金具との間の電気抵抗を低減させることができる。
【００１２】
また、本発明によれば、突部が金属板材からなる圧着部を曲げ加工することにより形成されるので、突部が形成された領域における圧着部の肉厚は、突部と異なる領域における圧着部の肉厚と実質的に等しくなっている。このため、突部に応力が集中することが抑制されるので、圧着部は塑性変形しにくくなっている。この結果、圧着の前後において、端子金具の寸法が大きくなることを抑制できる。
【００１３】
なお、実質的に等しいとは、突部が形成された領域における圧着部の肉厚と、突部と異なる領域における圧着部の肉厚と、が等しい場合を含むと共に、突部が形成された領域における圧着部の肉厚と、突部と異なる領域における圧着部の肉厚と、が異なっていても、実質的に等しいと認められる程度に近接している場合を含む。
【００１４】
また、電線に圧着部が圧着されると、電線は、電線の延びる第１方向に沿って塑性変形する。本発明によれば、突部は、第１方向と交差する第２方向に沿って形成されているので、電線が第１方向に沿って延びると、突部の先端と比較的に広い領域に亘って摺接する。これにより、電線の表面に形成された酸化膜が剥がれて電線の新生面が比較的に広い領域に亘って露出する。この結果、電線と端子金具との間の電気抵抗を低減させることができる。
【００１５】
本発明の実施態様としては以下の態様が好ましい。
前記圧着部には、複数の前記突部が、前記第１方向に間隔を空けて並んで形成されていてもよい。
【００１６】
上記の構成によれば、突部が１つ形成されている場合に比べて一層広い面積に亘って、電線の新生面を露出させることができる。この結果、電線と端子金具との間の電気抵抗を一層低減させることができる。
【００１７】
前記芯線はアルミニウム又はアルミニウム合金からなる構成としてもよい。
【００１８】
芯線がアルミニウム又はアルミニウム合金からなる場合、芯線の表面には酸化膜が比較的に形成されやすい。上記の構成は、芯線の表面に酸化膜が形成されやすい場合に有効である。
【発明の効果】
【００１９】
本発明によれば、圧着の前後において、電線の延びる方向について長さ寸法が大きくなることを抑制できる。
【発明を実施するための最良の形態】
【００２０】
本発明の一実施形態を図１ないし図５を参照しつつ説明する。本実施形態は、芯線１０を含む電線１１と、この電線１１の端部から露出する芯線１０に圧着される雌端子金具１２（本発明の端子金具に相当）と、を備える端子金具付き電線１３である。雌端子金具１２は、図示しないコネクタハウジングのキャビティ内に収容されて使用される。
【００２１】
（電線１１）
図１に示すように、電線１１は、複数の金属細線を撚り合わせてなる芯線１０と、芯線１０の外周を覆う合成樹脂製の絶縁被覆１４と、を備える。芯線１０は、アルミニウム、アルミニウム合金、銅、銅合金等、必要に応じて任意の金属を用いることができる。本実施形態においては、アルミニウム又はアルミニウム合金が用いられている。
【００２２】
（雌端子金具１２）
雌端子金具１２は金属板材を所定形状にプレス加工することにより形成される。金属板材は銅又は銅合金等、必要に応じて任意の金属を用いることができる。本実施形態では銅又は銅合金が用いられる。また、金属板材にはスズ、ニッケル等、任意の金属によるメッキが施されていてもよい。本実施形態ではスズメッキが施されている。図１に示すように、雌端子金具１２は、電線１１の絶縁被覆１４の外側から巻き付くように圧着される一対のインシュレーションバレル１５と、インシュレーションバレル１５に連なって形成されワイヤーバレル１７（バレルに相当）と、ワイヤーバレル１７から延びて図示しない雄端子金具（相手側端子に相当）と接続される接続部１８と、を備える。
【００２３】
接続部１８は角筒状をなしており、雄端子金具が挿入可能になっている。接続部１８の内部には弾性変形可能な弾性接触片１９が形成されており、この弾性接触片１９が雄端子金具と弾性的に接触することにより、雄端子金具と雌端子金具１２とが電気的に接続される。
【００２４】
図２に示すように、芯線１０に圧着する前の状態においては、ワイヤーバレル１７は概ね矩形状をなしている。電線１１は、ワイヤーバレル１７が芯線１０に圧着された状態では、図２における左右方向（矢線Ａで示す方向）に延びて配されるようになっている。このときの電線１１の延びる方向を第１方向とする。また、ワイヤーバレル１７が芯線１０に圧着される前の状態において、上記の第１方向と交差する方向を、第２方向とし、図２において矢線Ｂで示す。
【００２５】
ワイヤーバレル１７には、芯線１０と接触する接触面２２が形成されている。ワイヤーバレル１７には、第１方向（図２において矢線Ａで示す方向）と交差する第２方向（図２において矢線Ｂで示す方向）に延びると共に接触面２２側（図２における紙面を貫通する方向手前側）に突出する３つの突部２３が、第１方向に間隔を空けて並んで形成されている。本実施形態においては、第２方向は、第１方向と直交している。突部２３は、ワイヤーバレル１７を、接触面２２と反対側の面から曲げ加工することにより形成される。
【００２６】
図３に示すように、ワイヤーバレル１７の厚さ寸法は、突部２３が形成された領域と、突部２３とは異なる領域と、において、実質的に等しい厚さ寸法になっている。なお、実質的に等しいとは、突部２３が形成された領域におけるワイヤーバレル１７の厚さ寸法と、突部２３と異なる領域におけるワイヤーバレル１７の厚さ寸法と、が等しい場合を含むと共に、突部２３が形成された領域におけるワイヤーバレル１７の厚さ寸法と、突部２３と異なる領域におけるワイヤーバレル１７の厚さ寸法と、が異なっていても、実質的に等しいと認められる程度に近接している場合を含む。
【００２７】
（電線１１と雌端子金具１２との接続構造）
図４に、図１におけるＩＶ−ＩＶ線断面図を示す。図４に示すように、一対のワイヤーバレル１７は芯線１０の外側に巻き付くように圧着されている。一対のワイヤーバレル１７の端縁同士は、雌端子金具１２の幅方向（図４における左右方向）の中央付近の位置において互いに当接した状態で、芯線１０に外方（図４における上方）から当接している。なお、図４においては、芯線１０の詳細な構造については省略して記載してある。
【００２８】
芯線１０にワイヤーバレル１７が巻き付くように圧着されることにより、芯線１０にはワイヤーバレル１７から圧力が加えられる。すると、芯線１０の表面に形成された酸化膜が破れて芯線１０の新生面が露出し、この新生面とワイヤーバレル１７の接触面２２とが接触することにより、電線１１と雌端子金具１２とが電気的に接続される。
【００２９】
また、図５に示すように、芯線１０にワイヤーバレル１７が圧着されると、ワイヤーバレル１７から接触面２２側に突出する突部２３が、芯線１０の表面に食い込む。すると、芯線１０の表面に形成された酸化膜が破れて芯線１０の新生面が露出する。この新生面と、ワイヤーバレル１７の接触面２２と、が接触することにより、電線１１と雌端子金具１２との電気的接続を確実なものとなっている。
【００３０】
また、アルミニウム又はアルミニウム合金からなる芯線１０の新生面と、雌端子金具１２の表面に形成されたスズメッキ層とが、圧力を受けて摺接することにより合金層が形成されている。これにより、電線１１と雌端子金具１２との電気抵抗は一層小さなものとなっている。
【００３１】
続いて、本実施形態の製造工程の一例を説明する。まず、金属板材を所定形状にプレス成形する。このとき突部２３を形成してもよい。
【００３２】
次に、金属板材を曲げ加工して接続部１８を形成する。このとき突部２３を形成してもよい。これにより雌端子金具１２が形成される。
【００３３】
図示しない下型の上に、雌端子金具１２を載置する。続いて、電線１１の端部に位置する絶縁被覆１４を剥がして芯線１０を露出させる。露出した芯線１０を雌端子金具１２のワイヤーバレル１７の上に載置する。
【００３４】
その後、図示しない上型を下型に向かって移動させる。すると、上型と下側との間に挟まれることにより、インシュレーションバレル１５が電線１１の絶縁被覆１４の外側に巻き付くように圧着されると共に、ワイヤーバレル１７が芯線１０の外側に巻き付くように圧着される。これにより、端子金具付き電線１３が完成する。
【００３５】
続いて、本実施形態の作用、効果について説明する。本実施形態によれば、芯線１０にワイヤーバレル１７が圧着されると、ワイヤーバレル１７に形成された突部２３が、芯線１０の表面に食い込む。すると、芯線１０の表面に形成された酸化膜が剥がれて、芯線１０の新生面が露出する。この新生面とワイヤーバレル１７とが接触することにより、電線１１と雌端子金具１２との間の電気抵抗を低減させることができる。
【００３６】
また、本実施形態によれば、突部２３が金属板材からなるワイヤーバレル１７を曲げ加工することにより形成されるので、突部２３が形成された領域におけるワイヤーバレル１７の厚さ寸法は、突部２３と異なる領域におけるワイヤーバレル１７の厚さ寸法と実質的に等しくなっている。このため、突部２３に応力が集中することが抑制されるので、ワイヤーバレル１７は塑性変形しにくくなっている。この結果、圧着の前後において、雌端子金具１２の寸法が大きくなることを抑制できる。
【００３７】
芯線１０にワイヤーバレル１７が圧着されると、芯線１０は、電線１１の延びる第１方向に沿って塑性変形する。本実施形態によれば、突部２３は、第１方向と交差する第２方向に沿って形成されているので、芯線１０が第１方向に沿って延びると、突部２３の先端と比較的に広い領域に亘って摺接する。これにより、芯線１０の表面に形成された酸化膜が剥がれて芯線１０の新生面が比較的に広い領域に亘って露出する。この結果、電線１１と雌端子金具１２との間の電気抵抗を低減させることができる。
【００３８】
また、本実施形態によれば、ワイヤーバレル１７には、複数の突部２３が、第１方向に間隔を空けて並んで形成されている。これにより、突部２３が１つ形成されている場合に比べて一層広い面積に亘って、芯線１０の新生面を露出させることができる。この結果、電線１１と雌端子金具１２との間の電気抵抗を一層低減させることができる。
【００３９】
また、本実施形態においては、芯線１０はアルミニウム又はアルミニウム合金からなる。このように、芯線１０がアルミニウム又はアルミニウム合金からなる場合、芯線１０の表面には酸化膜が比較的に形成されやすい。このため、芯線１０の酸化膜を剥ぎ取ろうとすると、比較的に大きな圧力によって、ワイヤーバレル１７を芯線１０に圧着する必要がある。すると、ワイヤーバレル１７も塑性変形しやすくなる。本実施形態は、上記のように比較的に強い圧力でワイヤーバレル１７を芯線１０に圧着する場合に有効である。
【００４０】
＜他の実施形態＞
本発明は上記記述及び図面によって説明した実施形態に限定されるものではなく、例えば次のような実施形態も本発明の技術的範囲に含まれる。
（１）本実施形態においては、ワイヤーバレル１７には３つの突部２３が形成される構成としたが、これに限られず、突部２３は、１つ、２つ、又は４つ以上の複数であってもよい。
（２）本実施形態においては、第２方向は第１方向と直交する形態としたが、これに限られず、第１方向と交差する方向であれば、第２方向は任意の方向としてよい。
（３）ワイヤーバレル１７の端部は、電線１１の延びる方向にずれた状態で芯線１０に圧着されてもよく、また、３本以上に分岐したワイヤーバレル１７の端部が左右両側から互い違いに形成されていてもよく、また、ワイヤーバレル１７が１本のみ形成されて芯線１０に圧着されていてもよく、ワイヤーバレル１７の形状は必要に応じて任意の形状としうる。
【図面の簡単な説明】
【００４１】
【図１】本発明に係る端子金具付き電線を示す側面図
【図２】芯線に圧着される前の状態における雌端子金具を示す要部拡大平面図
【図３】図２におけるＩＩＩ−ＩＩＩ線断面図
【図４】図１におけるＩＶ−ＩＶ線断面図
【図５】ワイヤーバレルが芯線に圧着された状態を示す要部拡大断面図
【符号の説明】
【００４２】
１０…芯線
１１…電線
１２…雌端子金具（端子金具）
１３…端子金具付き電線
１４…絶縁被覆
１７…ワイヤーバレル（バレル）
１８…接続部
２２…接触面
２３…突部
【図１】
2010055936.tif 000003
【図２】
2010055936.tif 000004
【図３】
2010055936.tif 000005
【図４】
2010055936.tif 000006
【図５】
2010055936.tif 000007